(57)【要約】【課題】精度の高い色調制御を可能とするルックアップテーブルが容易に作成できるルックアップテーブル作成装置等を提供する。【解決手段】色調制御装置（ルックアップテーブル作成装置）１は、オフセット輪転機５におけるインキキー変化量と印刷色の濃度変化量との関係を定めたルックアップテーブル２００を作成する。色調制御装置１は、オフセット輪転機５における製品の印刷時、印刷後の用紙５０を搬送中に撮影した印刷物画像データ２０５を取得する画像取得手段１０１と、オフセット輪転機５における印刷時のインキキー調整時点およびインキキー変化量を含むインキキー制御データ２０４を取得するインキキー制御データ取得手段１０２と、インキキー変化量とインキキー調整時点前後での印刷物画像データ２０５における印刷色の濃度変化量を用いて、ルックアップテーブル２００を作成するルックアップテーブル作成手段１０３とを有する。【選択図】図４
2014162031.tif 000002
【特許請求の範囲】
【請求項１】
オフセット印刷機におけるインキキーの開度の変化量を示すインキキー変化量と、印刷色の濃度変化量との関係を定めたルックアップテーブルを作成するルックアップテーブル作成装置であって、
オフセット印刷機における製品の印刷時、印刷後の用紙を搬送中に撮影した印刷物画像を取得する画像取得手段と、
オフセット印刷機における印刷時のインキキー調整時点およびインキキー変化量を含むインキキー制御データを取得するインキキー制御データ取得手段と、
前記インキキー変化量と、前記印刷物画像における前記インキキー調整時点前後での印刷色の濃度変化量を用いて、前記ルックアップテーブルを作成するルックアップテーブル作成手段と、
を有することを特徴とするルックアップテーブル作成装置。
【請求項２】
前記インキキー制御データは、インキキー調整範囲を含み、
前記ルックアップテーブル作成手段は、
版胴におけるインキキー調整範囲の面積に対する前記インキキー調整範囲内の絵柄範囲の面積率を示す絵柄面積率を算出し、
前記インキキー変化量を単位絵柄面積率当たりのインキキー変化量に換算し、
前記単位絵柄面積率当たりのインキキー変化量を、前記ルックアップテーブルの作成に用いることを特徴とする請求項１記載のルックアップテーブル作成装置。
【請求項３】
前記ルックアップテーブル作成手段は、
前記単位絵柄面積率当たりのインキキー変化量と、前記濃度変化量を用いて、単位インキキー変化量当たりの濃度変化量を算出し、
前記単位インキキー変化量と、前記単位インキキー変化量当たりの濃度変化量を、前記ルックアップテーブルの作成に用いることを特徴とする請求項２記載のルックアップテーブル作成装置。
【請求項４】
前記ルックアップテーブル作成手段は、
前記絵柄範囲を分割して得られる領域に対応する印刷物画像の各所について、前記単位インキキー変化量当たりの濃度変化量を求め、
前記領域の面積に対する前記領域内の網点の面積率を示す網点面積率、前記単位インキキー変化量、前記単位インキキー変化量当たりの濃度変化量を、前記ルックアップテーブルの作成に用いることを特徴とする請求項３に記載のルックアップテーブル作成装置。
【請求項５】
前記ルックアップテーブル作成手段は、
前記代表色と前記単位インキキー変化量のある組み合わせに対応する前記単位インキキー変化量当たりの濃度変化量を、
前記代表色と前記単位インキキー変化量の少なくともいずれかが異なる組み合わせに対応する前記単位インキキー変化量当たりの濃度変化量を用いて求めることを特徴とする請求項４に記載のルックアップテーブル作成装置。
【請求項６】
オフセット印刷機におけるインキキーの開度の変化量を示すインキキー変化量と、印刷色の濃度変化量との関係を定めたルックアップテーブルを作成するルックアップテーブル作成方法であって、
ルックアップテーブル作成装置が、
オフセット印刷機における製品の印刷時、印刷後の用紙を搬送中に撮影した印刷物画像を取得するステップと、
オフセット印刷機における印刷時のインキキー調整時点およびインキキー変化量を含むインキキー制御データを取得するステップと、
前記インキキー変化量と、前記インキキー調整時点前後での印刷物画像における印刷色の濃度変化量を用いて、前記ルックアップテーブルを作成するステップと、
を実行することを特徴とするルックアップテーブル作成方法。
【請求項７】
オフセット印刷機におけるインキキーの開度の変化量を示すインキキー変化量と、印刷色の濃度変化量との関係を定めたルックアップテーブルを作成するルックアップテーブル作成装置を、
オフセット印刷機における製品の印刷時、印刷後の用紙を搬送中に撮影した印刷物画像を取得する画像取得手段と、
オフセット印刷機における印刷時のインキキー調整時点およびインキキー変化量を含むインキキー制御データを取得するインキキー制御データ取得手段と、
前記インキキー変化量と、前記インキキー調整時点前後での印刷物画像における印刷色の濃度変化量を用いて、前記ルックアップテーブルを作成するルックアップテーブル作成手段と、
して機能させるためのプログラム。
【請求項８】
オフセット印刷機におけるインキキーの開度の変化量を示すインキキー変化量と、印刷色の濃度変化量との関係を定めたルックアップテーブルを作成するルックアップテーブル作成装置を、
オフセット印刷機における製品の印刷時、印刷後の用紙を搬送中に撮影した印刷物画像を取得する画像取得手段と、
オフセット印刷機における印刷時のインキキー調整時点およびインキキー変化量を含むインキキー制御データを取得するインキキー制御データ取得手段と、
前記インキキー変化量と、前記インキキー調整時点前後での印刷物画像における印刷色の濃度変化量を用いて、前記ルックアップテーブルを作成するルックアップテーブル作成手段と、
して機能させるためのプログラムを記憶した記憶媒体。
【発明の詳細な説明】
【技術分野】
【０００１】
本発明は、オフセット印刷機の色調制御を行う際に用いるルックアップテーブルを作成するルックアップテーブル作成装置等に関する。
【背景技術】
【０００２】
オフセット輪転機やオフセット枚葉機などのオフセット印刷機では、Ｃ（シアン）、Ｍ（マゼンタ）、Ｙ（イエロー）、Ｋ（ブラック）など、印刷を行う各色の絵柄に応じて作成された版胴に、対応する色のインキをインキ壺から供給して印刷を行う。オフセット印刷機で印刷を行う際には、印刷物の色調を合わせるためにインキキーを制御する。インキキーは、開度を変化させることで、インキ壺から版胴へ供給するインキの量を調整するものである。
【０００３】
インキキーの制御は、所定の代表色について、インキキーの開度の変化量（以下、インキキー変化量という）と印刷時の色（以下、印刷色という）の変化量との関係を定めたルックアップテーブルを用いて行われる。これにより、必要な印刷色の変化量に対応する変化量で、インキキーの開度を変化させる。
【０００４】
このようなルックアップテーブルとしては、通常、インキキーの開度を変化させつつ代表色のチャートを印刷し、印刷色の変化を計測することで予め作成したものを用いる（例えば、特許文献１、２）。
【先行技術文献】
【特許文献】
【０００５】
【特許文献１】特開２０１１−１９４７５５号公報
【特許文献２】特開２０１１−２３０４１３号公報
【発明の概要】
【発明が解決しようとする課題】
【０００６】
しかしながら、従来のルックアップテーブル作成方法では、インキキー変化量として、開度を大きくした場合、そのままの場合、開度を小さくした場合の３条件でチャートの印刷をする必要がある。例えばＣＭＹＫの４色での印刷時の色調制御に用いるルックアップテーブルを作成するには、各色のインキキー変化量の組み合わせから３４＝８１通りの条件で印刷テストする必要があり負担が大きい。
【０００７】
また、このような印刷テストで作成されたルックアップテーブルでは、テスト時の印刷条件などによる誤差が多く含まれることや、代表色の数も限られることから、様々な絵柄を多様な印刷条件下で印刷する実際の印刷時には、印刷色の色調を適切に制御できない場合もある。さらに、印刷機の経時変化などによって以前作成したルックアップテーブルでは適切な色調制御ができなくなることもある。
【０００８】
本発明は、上記の問題に鑑みてなされたものであり、精度の高い色調制御を可能とするルックアップテーブルが容易に作成できるルックアップテーブル作成装置等を提供することを目的とする。
【課題を解決するための手段】
【０００９】
前述した目的を達成するための第１の発明は、オフセット印刷機におけるインキキーの開度の変化量を示すインキキー変化量と、印刷色の濃度変化量との関係を定めたルックアップテーブルを作成するルックアップテーブル作成装置であって、オフセット印刷機における製品の印刷時、印刷後の用紙を搬送中に撮影した印刷物画像を取得する画像取得手段と、オフセット印刷機における印刷時のインキキー調整時点およびインキキー変化量を含むインキキー制御データを取得するインキキー制御データ取得手段と、前記インキキー変化量と、前記印刷物画像における前記インキキー調整時点前後での印刷色の濃度変化量を用いて、前記ルックアップテーブルを作成するルックアップテーブル作成手段と、を有することを特徴とするルックアップテーブル作成装置である。
【００１０】
第１の発明によれば、実際の製品を印刷している稼働中の印刷機から収集されたデータを用いてルックアップテーブルを作成するため、従来、印刷テストに要していた負荷を軽減することができる。また、様々な絵柄を多様な印刷条件下で印刷した結果よりルックアップテーブルが作成されるため、印刷条件による誤差が吸収されるとともに、従来よりも多くの代表色についてルックアップテーブルを作成でき、ルックアップテーブルによる色調制御の精度を向上できる。さらに、稼働中の印刷機から収集したデータからルックアップテーブルを定期的に更新することもでき、印刷機の経時変化の影響を防ぐことも可能である。
【００１１】
このように、本願では高精度の色調制御が可能なルックアップテーブルが作成されるので、このルックアップテーブルを用いて、目標とする印刷物の印刷色の濃度値からインキキーの設定を行い、これにより刷り出しからインキキーの開度を適切な値に制御することもできる。加えて、稼働中の印刷機から多くのデータが得られるので、これらを製品の品目、得意先、あるいは用紙のグレードなどによってカテゴリ化し、製品の品目、得意先、用紙のグレードごとのルックアップテーブルを作成することもでき、さらに精度の高い色調制御を行うことも可能になる。
【００１２】
また、前記インキキー制御データは、インキキー調整範囲を含み、前記ルックアップテーブル作成手段は、版胴におけるインキキー調整範囲の面積に対する前記インキキー調整範囲内の絵柄範囲の面積率を示す絵柄面積率を算出し、前記インキキー変化量を単位絵柄面積率当たりのインキキー変化量に換算し、前記単位絵柄面積率当たりのインキキー変化量を、前記ルックアップテーブルの作成に用いることが望ましい。
インキキー変化量と印刷色の濃度変化量の関係は、絵柄面積率に応じて異なることがあるので、このようにルックアップテーブルを作成することで、ルックアップテーブルを用いた色調制御の精度が向上する。
【００１３】
前記ルックアップテーブル作成手段は、前記単位絵柄面積率当たりのインキキー変化量と、前記濃度変化量を用いて、単位インキキー変化量当たりの濃度変化量を算出し、前記単位インキキー変化量と、前記単位インキキー変化量当たりの濃度変化量を、前記ルックアップテーブルの作成に用いることが望ましい。
こうして多くのデータを単位インキキー変化量についての値に集約することで、ルックアップテーブルを好適に作成できる。
【００１４】
前記ルックアップテーブル作成手段は、前記絵柄範囲を分割して得られる領域に対応する印刷物画像の各所について、前記単位インキキー変化量当たりの濃度変化量を求め、前記領域の面積に対する前記領域内の網点の面積率を示す網点面積率、前記単位インキキー変化量、前記単位インキキー変化量当たりの濃度変化量を、前記ルックアップテーブルの作成に用いることが望ましい。
インキキー変化量と印刷色の濃度変化量の関係は、網点面積率によって異なることがあるので、このようにルックアップテーブルを作成することで、ルックアップテーブルを用いた色調制御の精度が向上する。
【００１５】
前記ルックアップテーブル作成手段は、前記代表色と前記単位インキキー変化量のある組み合わせに対応する前記単位インキキー変化量当たりの濃度変化量を、前記代表色と前記単位インキキー変化量の少なくともいずれかが異なる組み合わせに対応する前記単位インキキー変化量当たりの濃度変化量を用いて求めることが望ましい。
本発明では、チャート等を用いてルックアップテーブルを作成しないので、ルックアップテーブルにおいて濃度変化量の欠損部分が生じる可能性がある。しかし、上記のように他のデータを用いることで、これを補うことができる。
【００１６】
第２の発明は、オフセット印刷機におけるインキキーの開度の変化量を示すインキキー変化量と、印刷色の濃度変化量との関係を定めたルックアップテーブルを作成するルックアップテーブル作成方法であって、ルックアップテーブル作成装置が、オフセット印刷機における製品の印刷時、印刷後の用紙を搬送中に撮影した印刷物画像を取得するステップと、オフセット印刷機における印刷時のインキキー調整時点およびインキキー変化量を含むインキキー制御データを取得するステップと、前記インキキー変化量と、前記インキキー調整時点前後での印刷物画像における印刷色の濃度変化量を用いて、前記ルックアップテーブルを作成するステップと、を実行することを特徴とするルックアップテーブル作成方法である。
【００１７】
第３の発明は、オフセット印刷機におけるインキキーの開度の変化量を示すインキキー変化量と、印刷色の濃度変化量との関係を定めたルックアップテーブルを作成するルックアップテーブル作成装置を、オフセット印刷機における製品の印刷時、印刷後の用紙を搬送中に撮影した印刷物画像を取得する画像取得手段と、オフセット印刷機における印刷時のインキキー調整時点およびインキキー変化量を含むインキキー制御データを取得するインキキー制御データ取得手段と、前記インキキー変化量と、前記インキキー調整時点前後での印刷物画像における印刷色の濃度変化量を用いて、前記ルックアップテーブルを作成するルックアップテーブル作成手段と、して機能させるためのプログラムである。
【００１８】
第４の発明は、オフセット印刷機におけるインキキーの開度の変化量を示すインキキー変化量と、印刷色の濃度変化量との関係を定めたルックアップテーブルを作成するルックアップテーブル作成装置を、オフセット印刷機における製品の印刷時、印刷後の用紙を搬送中に撮影した印刷物画像を取得する画像取得手段と、オフセット印刷機における印刷時のインキキー調整時点およびインキキー変化量を含むインキキー制御データを取得するインキキー制御データ取得手段と、前記インキキー変化量と、前記インキキー調整時点前後での印刷物画像における印刷色の濃度変化量を用いて、前記ルックアップテーブルを作成するルックアップテーブル作成手段と、して機能させるためのプログラムを記憶した記憶媒体である。
【発明の効果】
【００１９】
本発明によれば、精度の高い色調制御を可能とするルックアップテーブルが容易に作成できるルックアップテーブル作成装置等を提供することができる。
【図面の簡単な説明】
【００２０】
【図１】色調制御装置１をオフセット輪転機５に適用した例を示す図
【図２】インキ供給装置５１ｂを示す図
【図３】色調制御装置１のハードウェア構成を示す図
【図４】色調制御装置１の機能構成を示す図
【図５】ルックアップテーブル２００の例を示す図
【図６】刷版絵柄データ２０２を示す図
【図７】インキキー制御データ２０４と印刷物画像データ２０５を示す図
【図８】ルックアップテーブル作成処理の流れを示す図
【図９】ルックアップテーブル作成処理について説明する図
【図１０】ルックアップテーブル作成処理について説明する図
【図１１】ルックアップテーブル作成処理について説明する図
【発明を実施するための形態】
【００２１】
以下、図面を参照して本発明の実施形態を詳細に説明する。
【００２２】
（１．色調制御装置１）
まず、本発明の実施形態に係る色調制御装置（ルックアップテーブル作成装置）１について説明する。
【００２３】
図１は色調制御装置１をオフセット輪転機５に適用した例であり、色調制御装置１が、オフセット輪転機５に設けられたオペレーションスタンド４やカメラ６に接続される。
【００２４】
オフセット輪転機５（オフセット印刷機）は、ロール状の用紙５０を巻出して搬送しつつ印刷等を行う。オフセット輪転機５は、用紙５０を印刷部５１に供給する給紙部（不図示）、各色（本実施形態ではＣＭＹＫとする）の印刷をそれぞれ行うユニット５１ａからなる印刷部５１、印刷後の用紙５０を乾燥させる乾燥部５２、乾燥後の用紙５０を冷却する冷却部５３、冷却後の用紙５０を切断し所定の大きさに折り畳む折部（不図示）、折り畳んだ後の用紙５０を所定位置まで搬送する排紙部（不図示）などからなる。
【００２５】
このうち、印刷部５１の各ユニット５１ａでは、ＣＭＹＫ各色の絵柄に対応する画線部と非画線部を有する版胴５１ｃによって、用紙５０への印刷が行われる。版胴５１ｃによる印刷時には、インキ供給装置５１ｂから供給されたインキが、各種ローラーによって版胴５１ｃの画線部に移される。搬送中の用紙５０に版胴５１ｃが接触しつつ回転することで、版胴５１ｃの画線部のインキが用紙５０に移されて印刷が行われる。
【００２６】
なお、図のオフセット輪転機５では、用紙５０の両面のそれぞれで版胴５１ｃによる印刷が行われる。図では下面側の版胴５１ｃについてインキ供給装置５１ｂ等の図示を省略した。
【００２７】
図２（ａ）は、インキ供給装置５１ｂ付近を示す図である。インキ供給装置５１ｂは、インキ壺５１１にインキ５１０を蓄えたものである。インキ壺５１１の側方にはインキ元ローラー５１２が設けられ、下面にはインキキー５１３が設けられる。
【００２８】
インキ供給装置５１ｂでは、インキ元ローラー５１２を回転させつつ、インキキー５１３を矢印Ａに示す方向に動作させてインキ元ローラー５１２とインキキー５１３の隙間の大きさ（開度）を変化させ、インキ元ローラー５１２から各種ローラー５１４を経て版胴５１ｃへ供給されるインキ量を制御する。インキキー５１３の開度が大きい程、版胴５１ｃへのインキ供給量は多くなる。
【００２９】
図２（ｂ）に示すように、インキキー５１３はインキ元ローラー５１２の長手方向に沿って複数（図の例では１２個）設けられる。各インキキー５１３の開度を個別に調整することで、各インキキー５１３に対応する版胴５１ｃ上のインキ供給範囲５１７（以下、インキキー調整範囲という）ごとにインキ供給量の制御が可能である。１または複数のインキキー５１３の開度を調整すると、対応するインキキー調整範囲５１７で版胴５１ｃのインキキー供給量が変化し、インキキー調整範囲５１７に対応する用紙５０上の範囲の印刷色が変化する。
【００３０】
図１の説明に戻る。カメラ６は、搬送中の印刷後の用紙５０の撮影を継時的に行い、撮影した用紙５０の画像（以下、印刷物画像という）を色調制御装置１に送信する。なお、本実施形態では用紙５０の両面をそれぞれ撮影する一対のカメラ６をオフセット輪転機５の冷却部５３に設けているが、これに限ることはない。例えば用紙５の一面のみに印刷を行う場合は当該面を撮影する１つのカメラ６のみ設ければよいし、カメラ６を設ける位置も冷却部５３に限ることはない。
【００３１】
色調制御装置１は、カメラ６で撮影した印刷物画像における印刷色の濃度と、前もって入力されるＯＫ品の印刷物画像の印刷色の濃度を比較し、色調制御が必要とされる場合には、ＣＭＹＫ各色のインキキー調整範囲５１７を求めるとともに、そのインキキー変化量を、印刷色の濃度差とルックアップテーブルを用いて求め、これらをオペレーションスタンド４に出力する。なお、インキキー制御時には、ＣＭＹＫ各色で同じ位置のインキキー５１３（インキキー調整範囲５１７）を調整する。
【００３２】
オペレーションスタンド４は、色調制御装置１から入力されたインキキー調整範囲５１７とインキキー変化量に基づき、ＣＭＹＫ各色のユニット５１ａのインキキー５１３を制御する。これによって、印刷物の印刷色が、ＯＫ品の印刷色に近づけられる。なお、オペレーションスタンド４は、オペレーターの入力に応じてインキキー５１３を制御することも可能である。オペレーションスタンド４は、このようなインキキーの制御について示すインキキー制御データを色調制御装置１に送信する。
【００３３】
また、本実施形態の色調制御装置１は、上記のような色調制御を行う他、ルックアップテーブル作成装置として、オペレーションスタンド４から取得したインキキー制御データや、カメラ６から取得した印刷物画像データをデータベース２に記録し、これらを用いてルックアップテーブルを作成する。
【００３４】
次に、図３を参照して、色調制御装置１のハードウェア構成について説明する。図に示すように、色調制御装置１は、制御部１１、記憶部１２、入力部１３、表示部１４、通信部１５等がバス１６を介して接続されたコンピュータ等で実現できる。ただし、色調制御装置１の構成がこれに限ることはない。
【００３５】
制御部１１は、ＣＰＵ、ＲＯＭ、ＲＡＭ等で構成される。ＣＰＵは、記憶部１２、ＲＯＭ、記憶媒体等に格納されるプログラムをＲＡＭ上のワークメモリ領域に呼び出して実行し、バス１６を介して接続された各部を駆動制御し、色調制御装置１が行う後述する処理を実現する。ＲＯＭは、不揮発性メモリであり、プログラムやデータ等を恒久的に保持している。ＲＡＭは、揮発性メモリであり、記憶部１２、ＲＯＭ、記憶媒体等からロードしたプログラム、データ等を一時的に保持するとともに、制御部１１が各種処理を行う為に使用するワークエリアを備える。
【００３６】
記憶部１２は、ハードディスクドライブ等であり、制御部１１が実行するプログラム、プログラム実行に必要なデータ等が格納される。プログラム等は、制御部１１のＣＰＵにより必要に応じて読み出されてＲＡＭに移され、各種の手段として実行される。
【００３７】
入力部１３は、色調制御装置１に対して操作指示、動作指示、データ入力等を行うためのもので、例えば、タッチパネル、キー等の入力装置を有する。
表示部１４は、液晶パネル等のディスプレイ装置、およびディスプレイ装置と連携して表示機能を実現するための論理回路等を有する。
【００３８】
通信部１５は、ネットワーク等を介した通信を媒介する通信インタフェースである。
バス１６は、各部間の制御信号、データ信号等の授受を媒介する経路である。
【００３９】
次に、図４を参照して、色調制御装置１の機能構成について説明する。図４に示すように、色調制御装置１は、画像取得手段１０１、インキキー制御データ取得手段１０２、ルックアップテーブル作成手段１０３等を有する。
【００４０】
画像取得手段１０１は、オフセット輪転機５における製品の印刷中に、搬送中の印刷後の用紙５０をカメラ６にて継時的に撮影した印刷物画像データをカメラ６から取得するものである。
【００４１】
インキキー制御データ取得手段１０２は、オフセット輪転機５での印刷中にインキキー５１３が調整された場合に、インキキー調整時点、インキキー調整範囲５１７、インキキー変化量などをインキキー制御データとしてオペレーションスタンド４から取得するものである。
【００４２】
ルックアップテーブル作成手段１０３は、印刷物画像データやインキキー制御データを用いて、ルックアップテーブル２００の作成を行うものである。その方法については後述する。
【００４３】
色調制御装置１はデータベース２と接続される。データベース２には、ルックアップテーブル２００、品目・得意先データ２０１、刷版絵柄データ２０２、用紙データ２０３、インキキー制御データ２０４、印刷物画像データ２０５などが記憶される。
【００４４】
ルックアップテーブル２００は、例えばＯＫ品の印刷物画像の印刷色と、カメラ６で撮影した印刷物画像の印刷色の濃度差に基づいてインキキー５１３を制御し、実際の印刷物の印刷色をＯＫ品の印刷色に近づけるために使用される。
【００４５】
図５は、ルックアップテーブル２００の例を示す図である。図ではルックアップテーブル２００の一部を示す。ルックアップテーブル２００は、網点面積率で特定される代表色、および、単位インキキー変化量ごとに、対応する印刷色の濃度変化量を記録したものである。印刷色の濃度変化量は、印刷物画像上でのＲＧＢ変化量として記述されている。
【００４６】
網点面積率は、ＣＭＹＫ各色の網点（ドット）の大きさを百分率で示したものであり、この組み合わせによりルックアップテーブル２００上の代表色を特定する。図では例として１種類の代表色について示しているが、ルックアップテーブル２００は、ＣＭＹＫ各色の網点面積率を複数段階で表し、これらの組み合わせ全てについて定められる。
【００４７】
単位インキキー変化量は、ＣＭＹＫ各色のユニット５１ａにおけるインキキー５１３の開度の単位変化量を示す。図では単位インキキー変化量の一部について示しているが、ルックアップテーブル２００では、ＣＭＹＫの４色のユニット５１ａのインキキー５１３の開度を単位量Ｘ（本実施形態ではＸ＝３）だけ大きくした場合、そのままの場合、単位量Ｘだけ小さくした場合の３４＝８１通りの組み合わせについて定められる。
【００４８】
ＲＧＢ変化量は、上記の網点面積率および単位インキキー変化量ごとに、対応する印刷色の濃度変化量を記録したものである。すなわち、ＲＧＢ変化量は、ＣＭＹＫ各色のユニット５１ａのインキキー５１３の開度を単位量Ｘだけ大きくした場合、そのままの場合、単位量Ｘだけ小さくした場合、それぞれ印刷物画像上の代表色のＲＧＢ濃度がどう変化するかを表している。
【００４９】
図４の説明に戻る。品目・得意先データ２０１は、印刷する製品の品目および得意先を示すデータである。品目は製品の種類を示すものであり、品目ごとに印刷する絵柄が異なる。また、得意先は製品の納入先を示し、得意先によって、薄めの色調あるいは濃いめの色調など、色調の好みが異なることがある。
【００５０】
刷版絵柄データ２０２は、ＣＭＹＫ各色のユニット５１ａの版胴５１ｃに形成する画線部と非画線部を、ＣＭＹＫ各色の絵柄に応じて定めたものである。
【００５１】
図６は版胴５１ｃの表面を展開した刷版絵柄データ２０２を示す図である。刷版絵柄データ２０２としては、絵柄範囲２１１の各位置での網点（ドット）２１２の大きさなどがデータ化されている。なお、網点２１２は版胴５１ｃの画線部に対応する。
【００５２】
用紙データ２０３は、印刷に使用する用紙５０のグレード（種類）を示す。用紙５０のグレードによって、前記の網点面積率および単位インキキー変化量と印刷色の濃度変化量との関係が異なることがある。
【００５３】
品目・得意先データ２０１、刷版絵柄データ２０２、および用紙データ２０３は、刷り出し開始前に管理サーバ（不図示）から色調制御装置１に入力されて印刷管理に用いられるとともに、データベース２に記憶される。
【００５４】
インキキー制御データ２０４は、図７（ａ）に示すように、オフセット輪転機５での印刷中、刷り出しを始点とするインキキー調整時点と、その時のインキキー調整範囲５１７（図２（ｂ）参照）、およびＣＭＹＫ各色のインキキー変化量を記録したものである。
【００５５】
印刷物画像データ２０５は、オフセット輪転機５での製品の印刷中、印刷後の用紙５０の撮影をカメラ６で継時的に行って得られた画像であり、図７（ｂ）に示すように、各時点における印刷後の用紙５０の画像データが記録される。
【００５６】
上記した品目・得意先データ２０１、刷版絵柄データ２０２、用紙データ２０３、インキキー制御データ２０４、印刷物画像データ２０５については、各製品印刷時のデータが紐付けて記録される。
【００５７】
（２．ルックアップテーブル作成の流れ）
次に、本実施形態におけるルックアップテーブル作成の流れについて図８等を参照しながら説明する。図８はルックアップテーブル作成処理の流れを示す図であり、図のＳ１〜Ｓ１１は色調制御装置１の制御部１１が行う処理である。
【００５８】
なお、本実施形態では、オフセット輪転機５の稼働中に図４等で説明した品目・得意先データ２０１、刷版絵柄データ２０２、用紙データ２０３、インキキー制御データ２０４、印刷物画像データ２０５を取得してデータベース２に記録しておき、後でこれらのデータを用いてルックアップテーブル２００を作成する例を説明する。
【００５９】
ルックアップテーブル２００を作成するには、まず、色調制御装置１が、データベース２から品目・得意先データ２０１を取得する（Ｓ１）。そして、品目・得意先データ２０１に対応する製品印刷時の刷版絵柄データ２０２、インキキー制御データ２０４、印刷物画像データ２０５をデータベース２から取得する（Ｓ２）。
【００６０】
次に、色調制御装置１は、刷版絵柄データ２０２から、絵柄面積率と網点面積率を算出する（Ｓ３）。
【００６１】
絵柄面積率は、図９（ａ）に示すように、刷版絵柄データ２０２上の各インキキー調整範囲５１７の面積に対する、インキキー調整範囲５１７内の絵柄範囲２１１の面積率を示す。ここでは、ｉ番目のインキキー調整範囲５１７における絵柄面積率をＡｉで表すものとする。
【００６２】
網点面積率は、ＣＭＹＫ各色の刷版絵柄データ２０２の絵柄範囲２１１を分割して得られる領域の面積に対する、領域内の網点２１２の面積率を示す。ここでは、図９（ｂ）に示すように、ＣＭＹＫ各色のｉ番目のインキキー調整範囲５１７の絵柄範囲２１１を複数の領域ｎに分割した場合の、各領域ｎにおける網点面積率を、Ｄｉｎ（Ｃ、Ｍ、Ｙ、Ｋ）で表すものとする。
【００６３】
次に、色調制御装置１は、インキキー制御データ２０４から、インキキー調整時点におけるＣＭＹＫ各色のインキキー調整範囲５１７と、調整を行ったｉ番目のインキキー５１３のインキキー変化量Ｉｉ（Ｃ、Ｍ、Ｙ、Ｋ）を取得する（Ｓ４）。
【００６４】
そして、色調制御装置１は、単位絵柄面積率当たりのインキキー変化量を算出する（Ｓ５）。
【００６５】
Ｓ５において、色調制御装置１は、調整を行ったＣＭＹＫ各色のｉ番目のインキキー５１３について、単位絵柄面積率当たりのインキキー変化量Ｉｉ,Ａｘ（Ｃ、Ｍ、Ｙ、Ｋ）を下式（１）により算出する。
Ｉｉ,Ａｘ（Ｃ、Ｍ、Ｙ、Ｋ）＝Ｉｉ（Ｃ、Ｍ、Ｙ、Ｋ）・Ａｘ／Ａｉ…（１）
なお、Ａｘは単位絵柄面積率であり、値は適宜定めることができる。
【００６６】
次に、色調制御装置１は、インキキー調整時点前後に印刷された用紙５０の印刷物画像データ２０５を取得し、これらの印刷物画像データ２０５から、インキキー５１３の変化に伴う印刷色の濃度変化量として、ＲＧＢ変化量を算出する（Ｓ６）。
【００６７】
Ｓ６において、色調制御装置１は、インキキー調整時点から所定時間Δｔ経過後の時点Ｂの前後で撮影した印刷物画像データ２０５（図７（ｂ）の２０５ａ、２０５ｂ参照）を取得する。所定時間Δｔは、印刷部５１における印刷開始からカメラ６の位置に用紙５０が搬送されるまでの時間を考慮して定められる。
【００６８】
そして、図１０に示すように、これらの印刷物画像データ２０５ａ、２０５ｂについて、調整を行ったｉ番目のインキキー調整範囲５１７に含まれる前記の領域ｎに対応する各所のＲＧＢ濃度値を比較し、印刷色の濃度変化量として、画像上のＲＧＢ変化量ΔＲＧＢｉｎ（Ｒ、Ｇ、Ｂ）を求める。
【００６９】
続いて、色調制御装置１は、Ｓ７で求めたＲＧＢ変化量を、単位インキキー変化量当たりの濃度変化量に換算する（Ｓ７）。
【００７０】
なお、本実施形態では、前記したようにルックアップテーブル２００における単位インキキー変化量を、ＣＭＹＫ各色のユニット５１ａのインキキー５１３の開度を単位量Ｘだけ大きくした場合、そのままの場合、単位量Ｘだけ小さくした場合について記述しており、開度を変化させる単位量Ｘ自体は同じである。
【００７１】
従って、Ｓ７では、このようなルックアップテーブル２００に合わせて、単位絵柄面積率当たりのインキキー変化量Ｉｉ,Ａｘ（Ｃ、Ｍ、Ｙ、Ｋ）の０以外の絶対値が互いに等しい場合、もしくはＣＭＹＫのうち一色のみインキキー５１３を調整した場合のみ変換を行う。
【００７２】
すなわち、例えば単位絵柄面積率当たりのインキキー変化量Ｉｉ,Ａｘ（Ｃ、Ｍ、Ｙ、Ｋ）が（０、４、−４、０）、（１、−１、１、０）、（２、０、０、２）、（３、０、０、０）などの場合は、対応するＲＧＢ変化量ΔＲＧＢｉｎ（Ｒ、Ｇ、Ｂ）のデータにつき後述する変換を行う。
【００７３】
一方、Ｉｉ,Ａｘ（Ｃ、Ｍ、Ｙ、Ｋ）が（０、１、２、０）、（−３、１、０、０）などの場合では、０以外の絶対値が異なり、ルックアップテーブル２００における単位インキキー変化量（０以外の絶対値が等しい）と一致しないため、変換が行われない。
【００７４】
Ｓ７において、色調制御装置１は、上記に該当するＲＧＢ変化量ΔＲＧＢｉｎ（Ｒ、Ｇ、Ｂ）を、下式（２）を用いて、単位インキキー変化量当たりのＲＧＢ変化量ΔＲＧＢｉｎ、Ｘ（Ｒ、Ｇ、Ｂ）に換算する。
ΔＲＧＢｉｎ、Ｘ（Ｒ、Ｇ、Ｂ）＝ΔＲＧＢｉｎ（Ｒ、Ｇ、Ｂ）・Ｘ／｜Ｉｉ,Ａｘ（Ｃ、Ｍ、Ｙ、Ｋ）｜…（２）
なお、Ｘはインキキー５１３の開度を変化させる単位量であり、本実施形態ではＸ＝３であるが、他の値でもよい。
【００７５】
また、｜Ｉｉ,Ａｘ（Ｃ、Ｍ、Ｙ、Ｋ）｜は、上記したＩｉ,Ａｘ（Ｃ、Ｍ、Ｙ、Ｋ）の０以外の絶対値であり、例えばＩｉ,Ａｘ（Ｃ、Ｍ、Ｙ、Ｋ）が（０、４、−４、０）、（１、−１、１、０）、（２、０、０、２）、（３、０、０、０）の場合、｜Ｉｉ,Ａｘ（Ｃ、Ｍ、Ｙ、Ｋ）｜はそれぞれ、４、１、２、３となる。
【００７６】
色調制御装置１は、調整を行ったｉ番目のインキキー調整範囲５１７の各領域ｎに対応する印刷物画像データ２０５上の各所について、上記のようにして単位インキキー変化量当たりのＲＧＢ変化量ΔＲＧＢｉｎ、Ｘを算出し、当該領域ｎの網点面積率Ｄｉｎ、単位インキキー変化量と紐付けて、ルックアップテーブル作成データを作成し、データベース２に記憶する（Ｓ８）。
【００７７】
なお、単位インキキー変化量は、単位絵柄面積率当たりのインキキー変化量Ｉｉ,Ａｘ（Ｃ、Ｍ、Ｙ、Ｋ）と正負が同じであるが、絶対値をＸとしたデータである。例えばＩｉ,Ａｘ（Ｃ、Ｍ、Ｙ、Ｋ）が（０、４、−４、０）、（１、−１、１、０）、（２、０、０、２）、（３、０、０、０）の場合、Ｘ＝３とすると、単位インキキー変化量は、それぞれ（０、３、−３、０）、（３、−３、３、０）、（３、０、０、３）、（３、０、０、０）となる。
【００７８】
色調制御装置１は、インキキー制御データ２０４において次のインキキー調整時点があれば（Ｓ９；Ｙ）、Ｓ４〜Ｓ８の処理を繰り返し、全てのインキキー調整時点にてＳ８の処理を行えば（Ｓ９；Ｎ）、一つの品目・得意先データ２０１についての処理を終了する。
【００７９】
そして、色調制御装置１は、次の品目・得意先データ２０１があれば（Ｓ１０；Ｙ）、Ｓ１〜Ｓ９の処理を繰り返し、全ての品目・得意先データ２０１について処理を終了すれば（Ｓ１０；Ｎ）、Ｓ８で記憶したルックアップテーブル作成データを用いてルックアップテーブル２００の作成を行い（Ｓ１１）、処理を終了する。
【００８０】
Ｓ１１において、色調制御装置１は、ルックアップテーブル作成データを品目・得意先データ２０１が示す品目や得意先、あるいは用紙データ２０３が示す用紙５０のグレード毎に集計し、品目や得意先、用紙５０のグレード別にルックアップテーブル２００を作成することができる。
【００８１】
集計時には、図１１（ａ）に示すように、網点面積率Ｄｉｎ、単位インキキー変化量が同じであるルックアップ作成データ２２０があった場合、対応する単位インキキー変化量当たりのＲＧＢ変化量ΔＲＧＢｉｎ、Ｘを平均することができる。
【００８２】
また、図１１（ｂ）に示すように、ＲＧＢ変化量ΔＲＧＢｉｎ、Ｘのデータの欠損部分がある場合には、網点面積率Ｄｉｎと単位インキキー変化量Ｉｉ,Ａｘの組み合わせが異なる他のデータを用いて補間し作成することができる。
【００８３】
例えば図のように、網点面積率Ｄｉｎ（Ｃ、Ｍ、Ｙ、Ｋ）＝（０、２０、８０、０）かつ単位インキキー変化量（０、０、＋３、０）に対応するＲＧＢ変化量ΔＲＧＢｉｎ、Ｘのデータが無い場合、網点面積率Ｄｉｎ（Ｃ、Ｍ、Ｙ、Ｋ）＝（０、２０、Ｚ、０）かつ単位インキキー変化量Ｉｉ,Ａｘ（０、０、＋３、０）の条件を満たす（Ｚは０〜１００のいずれか）複数のＲＧＢ変化量ΔＲＧＢｉｎ、Ｘのデータを用いて補間することができる。
【００８４】
また、作成されたデータは、網点面積率Ｄｉｎや単位インキキー変化量の変化に対応するＲＧＢ変化量ΔＲＧＢｉｎ、Ｘの変化がスムーズになるように、全体を通してスムージングを行っておくとよい。
【００８５】
なお、ルックアップテーブル２００を更新する場合は、Ｓ１〜Ｓ１０で得られたルックアップテーブル作成データを、既往のルックアップテーブル作成データに追加し、改めて全データを用いてＳ１１の処理を行い、ルックアップテーブル２００を作成して更新する。
【００８６】
以上説明したように、本実施形態によれば、実際の製品を印刷している稼働中の印刷機から収集されたデータを用いてルックアップテーブル２００を作成するため、従来、印刷テストに要していた負荷を軽減することができる。
【００８７】
例えば、従来のルックアップテーブル作成方法では、事前の印刷テストで、ＣＭＹＫ各色の０、２０、４０、６０、８０、１００の６段階の網点面積率の組み合わせで代表色を作成した場合、６４＝１２９６色のチャートを作成し、これを前記したように３４＝８１回印刷する必要があり負担が大きい。また代表色の数も限られることから、色調制御時に代表色以外の色の色調を制御する際には、代表色のデータを用いてインキキー制御量を補間する必要があり精度が低下する要因となっていた。
【００８８】
一方、本発明では、上記の通りルックアップテーブル作成時の負担を軽減できる。また、ＣＭＹＫ各色の網点面積率の間隔を従来の２０％間隔より細かく記述した多くの代表色についてのデータが得られることから、上記した精度の低下を防ぐことができる。
【００８９】
また、従来の印刷テストでは周辺の絵柄や印刷機のコンディションなど印刷条件の影響を受け、1回の印刷テストから成るルックアップテーブルには多くの誤差が含まれることも考えられる。
【００９０】
一方、本発明では、様々な絵柄を多様な印刷条件下で印刷した結果よりルックアップテーブル２００が作成されるため、印刷条件による誤差が吸収され、ルックアップテーブル２００による色調制御の精度を向上できる。さらに、稼働中の印刷機から収集したデータからルックアップテーブル２００を定期的に更新することもでき、印刷機の経時変化の影響を防ぐことも可能である。
【００９１】
このように、本発明では高精度の色調制御が可能なルックアップテーブル２００が作成されるので、このルックアップテーブル２００を用いて、目標とする印刷物の印刷色の濃度値からインキキー５１３の設定を行い、これにより刷り出しからインキキー５１３の開度を適切な値に制御することもできる。加えて、稼働中の印刷機から多くのデータが得られるので、これらを製品の品目、得意先、あるいは用紙のグレードなどによってカテゴリ化し、製品の品目、得意先、用紙のグレードごとのルックアップテーブル２００を作成することも可能で、さらに精度の高い色調制御を行うことができる。
【００９２】
例えば、実際の印刷における用紙の違いや得意先の色の好み等の違いなどから、従来の方法で作成されたルックアップテーブルは、オペレーターが製品としてＯＫの指示を出してから、ＯＫ品との比較制御での使用に限られており、ＯＫを出すまでの刷り出し調整はオペレーターの主観によってインキキー調整が行われることが多かった。しかし、本発明では高精度な色調制御が可能なルックアップテーブル２００が作成できる結果、上記のように刷り出しからインキキー５１３の開度を適切な値に制御し、インキキー５１３の調整の手間も省くことも可能となる。
【００９３】
また、本実施形態では前記したように絵柄面積率Ａｉや網点面積率Ｄｉｎを用いてルックアップテーブル２００を作成する。単位インキキー変化量と印刷色の濃度変化量の関係は、絵柄面積率や網点面積率に応じて異なることがあるので、このようにルックアップテーブル２００を作成することで、ルックアップテーブル２００を用いた色調制御の精度が向上する。また、網点面積率Ｄｉｎ等は絵柄範囲２１１を分割して得られる領域ｎごとに求めるので、印刷物画像データ２０５から多くのデータが得られる利点もある。このようにして得られた多くのデータは、前記の処理により単位インキキー変化量についての値に集約され、ルックアップテーブル２００を好適に作成することができる。
【００９４】
また、本実施形態では、チャート等を用いてルックアップテーブル２００を作成しないので、ルックアップテーブル２００において濃度変化量の欠損部分が生じる可能性があるが、前記のように他のデータを用いて補間することで、これを補うことができる。
【００９５】
なお、本発明はこれに限ることはない。例えば、上記の実施形態では、図８で説明したＳ１〜Ｓ１１の処理をオフセット輪転機５による製品の印刷後に行うものとしているが、本発明の別の例として、製品の印刷中にルックアップテーブル２００の作成や更新を随時行うことも可能である。
【００９６】
また、上記の実施形態では、Ｓ７において、単位絵柄面積率当たりのインキキー変化量Ｉｉ,Ａｘの０以外の絶対値が互いに等しい場合や、ＣＭＹＫのうち一色のみインキキー５１３を調整した場合のみ、ＲＧＢ変化量ΔＲＧＢｉｎ（Ｒ、Ｇ、Ｂ）を、単位インキキー変化量当たりのＲＧＢ変化量ΔＲＧＢｉｎ、Ｘ（Ｒ、Ｇ、Ｂ）に換算したが、どのような場合のデータを用いるかは、ルックアップテーブル２００における単位インキキー変化量の設定に応じて定められ、これに限ることはない。
【００９７】
さらに、本実施形態ではオフセット輪転機５におけるルックアップテーブル２００作成の例を説明したが、本発明はオフセット印刷機であれば適用することが可能であり、例えば枚葉紙を印刷するオフセット枚葉機に用いることも可能である。
【００９８】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００９９】
１：色調制御装置（ルックアップテーブル作成装置）
４：オペレーションスタンド
５：オフセット輪転機
６：カメラ
５０：用紙
１０１：画像取得手段
１０２：インキキー制御データ取得手段
１０３：ルックアップテーブル作成手段
２００：ルックアップテーブル
２０１：品目・得意先データ
２０２：刷版絵柄データ
２０３：用紙データ
２０４：インキキー制御データ
２０５：印刷物画像データ
【図１】
2014162031.tif 000003
【図２】
2014162031.tif 000004
【図３】
2014162031.tif 000005
【図４】
2014162031.tif 000006
【図５】
2014162031.tif 000007
【図６】
2014162031.tif 000008
【図７】
2014162031.tif 000009
【図８】
2014162031.tif 000010
【図９】
2014162031.tif 000011
【図１０】
2014162031.tif 000012
【図１１】
2014162031.tif 000013